(57)【要約】  【課題】低コストで、表示装置に故障があった場合にも必要な情報を一画面上で表示するとともに、利用者の情報の視認性を格段に向上させた２画面案内表示装置を提供する。  【解決手段】第１の表示情報を表示する第１の表示装置１１と第２の表示情報を表示する第２の表示装置１２が横方向に近接配置され、第１と第２の表示装置１１、１２の故障状態を検出し、第１の表示装置１１の故障を検出したときには、第１と第２の表示情報を横方向に略１／２に圧縮して並べて第２の表示装置１２に表示する。【選択図】図１
2008096571.tif 000002
【特許請求の範囲】
【請求項１】
第１の表示情報を表示する第１の表示装置と第２の表示情報を表示する第２の表示装置を横方向に近接配置し、前記第１と第２の表示装置の故障状態を検出し、前記第１の表示装置の故障を検出したときには、前記第１と第２の表示情報を横方向に略１／２に圧縮して並べて前記第２の表示装置に表示することを特徴とする２画面案内表示装置。
【請求項２】
前記第１と第２の表示情報を縦方向にも圧縮して表示することを特徴とする請求項１に記載の２画面案内表示装置。
【請求項３】
前記第１と第２の表示装置は、自己の故障状態を検出する機能を有することを特徴とする請求項１又は２に記載の２画面案内表示装置。
【請求項４】
横方向に近接配置され、第１の表示情報を表示する第１の表示装置と第２の表示情報を表示する第２の表示装置のうち第１の表示装置の故障状態を判定し、故障有りと判定されると、前記第２の表示装置の故障状態を判定し、故障有りと判定されると前記第１と第２の表示装置に対する表示信号の送出を停止し、
前記第１の表示装置が故障有りで、前記第２の表示装置が故障無しと判定されると、前記第１と第２の表示装置に表示すべき情報（画像）を横方向に略１／２に圧縮して表示画像を作成して前記第２の表示装置に表示させ、
前記第１の表示装置が故障無しと判定されると、前記第２の表示装置の故障状態を判定し、故障有りと判定された場合には、前記第１と第２の表示装置に表示すべき情報（画像）を横方向に略１／２に圧縮して前記第１の表示装置に表示させ、前記第１と第２の表示装置が故障無しと判定されると、前記第１と第２の表示装置のそれぞれに対して第１と第２の表示情報を表示させ、
前記第２の表示装置が故障有りと判定されると、前記第１の表示装置の故障状態を判定し、故障有りと判定されると、前記第１と第２の表示装置への表示信号の送出を停止させ、
前記第２の表示装置が故障無しと判定されている状態において、前記第１の表示装置の故障状態を判定し、故障状態有りと判定されると、前記第１と第２の表示装置に表示すべき情報（画像）を横方向に略１／２に圧縮して前記第２の表示装置に表示させ、前記第１の表示装置が故障無しと判定されると、前記第１と第２の表示装置のそれぞれに対して第１と第２の表示情報を表示させることを特徴とする２画面案内表示方法。
【請求項５】
第１の表示情報を表示する第１の表示装置と第２の表示情報を表示する第２の表示装置を横方向に近接配置し、前記第１と第２の表示装置の故障状態を検出し、前記第１の表示装置の故障を検出したときには、前記第１と第２の表示情報を横方向に略１／２に圧縮して並べて前記第２の表示装置に表示することを特徴とする２画面案内表示方法。
【請求項６】
請求項４又は５における処理をコンピュータに実行させるためのプログラム。
【請求項７】
請求項６における前記プログラムを記憶する記憶媒体。
【発明の詳細な説明】
【技術分野】
【０００１】
本発明は２画面案内表示装置に関し、特に２台の表示装置で情報を表示する２画面案内表示装置、方法、プログラム及び記憶媒体に関する。
【背景技術】
【０００２】
空港や駅等には、飛行機や列車の発着状況、運行状況を表示する大型の表示装置が設置されている。この表示装置として空港のような広く奥行きのある場所では、文字や画像を記載した表示板を回転させて表示の切り替えを行う、いわゆる反転式表示装置が用いられている。このような反転式表示盤は、表示内容が変化するときに、表示の変化が瞬時ではなく、表示板を回転させながら表示を変化させるものであるため利用者にとっては表示変化が視認し易い。
【０００３】
しかしながら、このような反転式表示装置は機械式であるため構造が複雑で高価になるだけでなく故障の発生が多く、保守も面倒である。したがって、空港のロビーにおいてはかかる反転式表示盤は正面だけに設置し、それ以外の比較的小空間の番所には電子式表示装置、例えば、液晶ディスプレイ、プラズマディスプレイ、ＣＲＴが配置されており、同様に運行情報を表示している。
【０００４】
一方、これらの電子式表示装置としてはコスト面を考慮して汎用製品が用いられている。空港等では長時間連続使用が通常であるため、故障の発生頻度が高い。その結果、必要な情報が表示されない場合が生じ、利用者に対する利便性が損なわれてしまい、これらの保守に大変な労力を要する。
【０００５】
そこで、多数の表示装置のうち１台の表示装置が故障したときに、当該表示装置に表示すべき情報を他の表示装置に表示させる旅客案内表示システムが特許文献１に開示されている。このシステムでは、空港内等の各所に設置されている表示装置の１台に故障が発生したときに、隣接する表示装置に、故障している表示装置に表示すべき情報を、隣接表示装置で表示すべき情報と交互に表示している。
【０００６】
【特許文献１】特開平１１−１４７４６９号公報
【発明の開示】
【発明が解決しようとする課題】
【０００７】
上述のように、特許文献１では、多数の表示装置のうち１台の表示装置が故障したときに、隣接する表示装置に、故障している表示装置に表示すべき情報とともに隣接表示装置で表示すべき情報とを交互に表示している。
【０００８】
しかしながら、上述従来の表示装置では表示装置に表示する情報は多種多様であり、一画面上に一度に表示するのが利用者にとっては便利である。しかし、表示装置はコストを考慮して、それほど大型のディスプレイを用いておらず、必要十分な情報を表示できないことが多い。表示すると表示文字が小さくなるので、利用者にとっては不便である。
【０００９】
また、上記表示システムでは、故障している表示装置に表示すべき情報とともに隣接表示装置で表示すべき情報とを交互に表示しているので、両情報が関連する場合には、互いの情報の関連を把握することが難しくなるという問題もある。つまり、一画面上に同時に表示されていれば利用者にとって非常に視認性が増して便利であるにもかかわらずそのようなことは不可能であり、故障時の対応も不十分である。
【００１０】
本発明の目的は、低コストで、表示装置に故障があった場合にも必要な情報を、正常な表示装置で表示することにより利用者の情報の視認性を格段に向上させた２画面案内表示装置、方法、プログラム及び記憶媒体を提供することにある。
本発明の目的は、低コストで、一方の表示装置に故障があった場合にも必要な情報を、他方の表示装置で表示しているので、利用者は必要な情報を確実に視認することができる。
【課題を解決するための手段】
【００１１】
上述課題を解決するため本発明による２画面案内表示装置、方法、プログラム及び記憶媒体は以下のような特徴的な構成を採用している。
（１）第１の表示情報を表示する第１の表示装置と第２の表示情報を表示する第２の表示装置を横方向に近接配置し、前記第１と第２の表示装置の故障状態を検出し、前記第１の表示装置の故障を検出したときには、前記第１と第２の表示情報を横方向に略１／２に圧縮して並べて前記第２の表示装置に表示する２画面案内表示装置。
（２）前記第１と第２の表示情報を縦方向にも圧縮して表示する上記（１）の２画面案内表示装置。
（３）前記第１と第２の表示装置は、自己の故障状態を検出する機能を有する上記（１）又は（２）の２画面案内表示装置。
（４）横方向に近接配置され、第１の表示情報を表示する第１の表示装置と第２の表示情報を表示する第２の表示装置のうち第１の表示装置の故障状態を判定し、故障有りと判定されると、前記第２の表示装置の故障状態を判定し、故障有りと判定されると前記第１と第２の表示装置に対する表示信号の送出を停止し、
前記第１の表示装置が故障有りで、前記第２の表示装置が故障無しと判定されると、前記第１と第２の表示装置に表示すべき情報（画像）を横方向に略１／２に圧縮して表示画像を作成して前記第２の表示装置に表示させ、
前記第１の表示装置が故障無しと判定されると、前記第２の表示装置の故障状態を判定し、故障有りと判定された場合には、前記第１と第２の表示装置に表示すべき情報（画像）を横方向に略１／２に圧縮して前記第１の表示装置に表示させ、前記第１と第２の表示装置が故障無しと判定されると、前記第１と第２の表示装置のそれぞれに対して第１と第２の表示情報を表示させ、
前記第２の表示装置が故障有りと判定されると、前記第１の表示装置の故障状態を判定し、故障有りと判定されると、前記第１と第２の表示装置への表示信号の送出を停止させ、
前記第２の表示装置が故障無しと判定されている状態において、前記第１の表示装置の故障状態を判定し、故障状態有りと判定されると、前記第１と第２の表示装置に表示すべき情報（画像）を横方向に略１／２に圧縮して前記第２の表示装置に表示させ、前記第１の表示装置が故障無しと判定されると、前記第１と第２の表示装置のそれぞれに対して第１と第２の表示情報を表示させる２画面案内表示方法。
（５）第１の表示情報を表示する第１の表示装置と第２の表示情報を表示する第２の表示装置を横方向に近接配置し、前記第１と第２の表示装置の故障状態を検出し、前記第１の表示装置の故障を検出したときには、前記第１と第２の表示情報を横方向に略１／２に圧縮して並べて前記第２の表示装置に表示する２画面案内表示方法。
（６）上記（４）又は（５）における処理をコンピュータに実行させるためのプログラム。
（７）上記（６）における前記プログラムを記憶する記憶媒体。
【発明の効果】
【００１２】
本発明の２画面案内表示装置、方法、プログラム及び記憶媒体によれば、低コストで、表示装置に故障があった場合にも必要な情報を、２つの表示装置の画面から成る一画面上で表示するとともに、利用者の情報の視認性を格段に向上させることができる。
【実施例】
【００１３】
以下、本発明による２画面案内表示装置、方法、プログラム及び記憶媒体の好適実施例の構成および動作を、添付図面を参照して詳細に説明する。
【００１４】
先ず、図１は、本発明による２画面案内表示装置の一実施例を示す表示部の構成と表示情報を示す。図１において、本発明では２個の表示装置１１と１２が横並びに接近して配設される。表示装置１１と１２には、出発便の運行状況が関連情報として表示される、すなわち、表示装置１１の最上段には、出発便の会社名が文字やマークで表示され、その横に便名「２０２」、続いて行き先「札幌」（Ｓａｐｐｏｒｏ）が表示される。表示装置１１の横に併設された表示装置１２の最上段には、表示装置１１の最上段に表示されている情報（便）に関連する情報として出発時刻（本例では、出発時刻が９：５５から１０：１０に変更されている旨表示）、現在の状況「搭乗ご案内中」及び搭乗ゲート「１」が表示されている。表示装置１１と１２の第２段目には、同様に、出発便の会社名、便名「１１５２」、行き先「東京」（Ｔｏｋｙｏ）が表示され、表示装置１２では、出発時刻「１０：２０」、現在の状況「搭乗待合室へお入り下さい」が表示される。以下同様に第３段目以降の表示がなされる。
【００１５】
本実施例では、２個の表示装置を近接して横方向に配設し、同一横方向で同じ段には関連する、つまり、図１における表示装置１１と１２の最上段に表示される情報は１台の表示装置と比較して２倍の幅があるので、一度の表示により表示できる情報量が２倍に拡大される。
【００１６】
ところで、空港等の広大なスペースには上記の如き多数の表示装置が設置されている。したがって、コストを低減するために汎用製品が使われている。ところが、上述のように、汎用製品は故障が多く問題が生じる。表示装置の連続稼動時間が長時間に及ぶ空港等では、更に故障の問題は大きくなる。
【００１７】
２台の表示装置のうち一方の表示装置に故障が発生した場合には、当該故障表示装置にはなんらの情報も表示されないため、重要な情報が欠落して利用者に大きな不便をかけてしまうことになる。
【００１８】
そこで、本発明では、２台の表示装置のうち、一方の表示装置に故障が発生したときには、当該一方の表示装置に表示すべき情報を故障していない他方の表示装置に、他方の表示装置で表示すべき情報と併せて表示させている。この表示の際には、元の表示画像は横方向に圧縮した画像として表示させる。このとき文字や画像の縦横のバランスを考慮して縦方向にも適宜圧縮した画像を表示する。図２と図３には、かかる表示の例が示されている。図２は、右側に配置した表示装置１２が故障した場合の表示装置１１での表示例を示している。この場合には、表示装置１１と１２の表示画像を横方向に略１／２に圧縮して表示装置１１に両表示装置に表示すべき情報を一画面上で表示している。図３には、左側に配置した表示装置１１が故障した場合の表示装置１２での表示例を示している。この場合も表示装置１１と１２の表示画像を横方向に略１／２に圧縮して表示装置１２に両表示装置に表示すべき情報を一画面上で表示している。
【００１９】
図４は、本発明による２画面案内表示装置システムの構成ブロック図である。表示装置１１と１２は上述のように横並びで近接配設されている。表示装置１１と１２は、自身で故障検出機能を有し（勿論故障検出機能を外部にもたせることもできる）、故障検出信号を制御部２に出力する。制御部２は、表示装置１１と１２からの故障検出信号を受け、いずれかの表示装置に故障を発見したときには、故障表示装置に表示すべき情報を正常動作している表示装置に上述のように横方向圧縮画像として表示する処理を行う。
【００２０】
表示メモリ３には、図１に示したようなフライト情報が記憶されており、制御部２からの読出信号に応じて必要な情報が読み出され、２つの表示部１１又は／及び１２に送出され、表示される。
【００２１】
制御部２における処理手順は図５にフローチャートとして示されている。
先ず、表示装置の動作状況を確認する（ステップＳ１）。この確認は、表示装置１１と１２からの故障検出信号に基づいて行われる。ステップＳ２において、表示装置１１からの故障信号の有無を判定し、故障信号が有りと判定されると、表示装置１２からの故障信号の有無を判定し（ステップＳ３）、故障信号が有りと判定されると、両表示装置ともに故障状態にあるため、両表示装置１１と１２への表示画像信号の送出を停止する（ステップＳ４）。ステップＳ３において、表示装置１２からの故障信号がないと判定されると、上述の如く、表示装置１２に、表示装置１１に表示すべき情報をも表示させるため、表示装置１１と１２に表示すべき情報（画像）を横方向に略１／２に圧縮して表示画像を作成して図３に示すような表示を行わせる（ステップＳ５）。故障中の表示装置１１は動作していない。
【００２２】
ステップＳ２において、表示装置１１からの故障検出信号が無いと判定されると、表示装置１２からの故障検出信号の有無を判定する（ステップＳ６）。ここで、故障信号有りと判定された場合には、表示装置１１に、表示装置１２に表示すべき情報をも表示させるため、表示装置１１と１２に表示すべき情報（画像）を横方向に略１／２に圧縮して表示画像を作成して図２に示すような表示を行わせる（ステップＳ７）。故障中の表示装置１２は動作していない。ステップＳ６において、故障検出信号無しと判定されると、両表示装置１１、１２は正常に動作しているから、それぞれに対して表示情報を出力する。（ステップＳ１１）
【００２３】
また、ステップＳ８において、表示装置１２からの故障検出信号の有無を判定し、有りと判定されると、次に表示装置１１からの故障検出信号の有無が判定される（ステップＳ９）。ステップＳ９において故障検出信号有りと判定されると、上述ステップＳ４の処理、すなわち、両表示装置１１と１２の動作を停止させるような処理を実行する。
【００２４】
ステップＳ８において、故障検出信号無しと判定されると、表示装置１１からの故障検出信号の有無を判定する（ステップＳ１０）。ここで、故障検出信号有りと判定されると、ステップＳ５の処理を実行する。すなわち、表示装置１２に表示装置１１の表示情報を含めて表示させる。また、ステップＳ１０において、故障検出信号無しと判定されると、ステップＳ１１の処理で表示装置１１と１２それぞれを正常表示動作させる（両表示装置１１、１２は正常に動作しているから、それぞれに対して表示情報を出力する。）。
【００２５】
以上、本発明による２画面案内表示装置の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００２６】
【図１】本発明による２画面案内表示装置の一実施例を示す表示部の基本構成と表示情報を示す図である。
【図２】本発明による２画面案内表示装置の実施例における表示部の表示情報を示す図である。
【図３】本発明による２画面案内表示装置の実施例における表示部の表示情報を示す図である。
【図４】本発明による２画面案内表示装置システムの構成ブロック例を示す図である。
【図５】図４の制御部２における処理手順をフローチャートとして示す図である。
【符号の説明】
【００２７】
１１、１２    表示装置
２            制御部
３            表示メモリ
【図１】
2008096571.tif 000003
【図２】
2008096571.tif 000004
【図３】
2008096571.tif 000005
【図４】
2008096571.tif 000006
【図５】
2008096571.tif 000007